(57)【特許請求の範囲】
【請求項１】
選別部（Ｓ）の底部に選別された処理物を横外方に搬送する横送り螺旋（１６，１７）を配置し、該横送り螺旋（１６，１７）下方の樋（２４，２５）に形成した掃除口（２６，２７）を開閉自在な蓋体（２８，２９）と、該蓋体（２８，２９）を開閉操作可能な操作レバー（３１）を設けた脱穀装置（５）において、
前記操作レバー（３１）は、その本体部分である鉛直部（３１ａ）を選別部（Ｓ）の側方で且つ選別部（Ｓ）の側方に配置された伝動ベルト（２２）より内側に配置すると共に、鉛直部（３１ａ）の上端部分に伝動ベルト（２２）より外方に突出する操作部（３１ｂ）を一体的に設ける一方、
操作レバー（３１）が露出しないように覆うカバー体（３６）を設けてその前後に設けた揺動自在なフック部材（３９）を介して機体に着脱自在に取り付けると共に、該カバー体（３６）の内側に内方へ突出する張出部（４０）を設けてその張出部（４０）を前後のフック部材（３９）の間で且つ上下方向でフック部材（３９）と略同じ高さに配置し、
前記カバー体（３６）を、操作レバー（３１）が蓋体（２８，２９）を開く開放操作位置にある状態では操作レバー（３１）の操作部（３１ｂ）と張出部（４０）が当たって機体への取り付けが出来ず、操作レバーが蓋体（２８，２９）を閉じる閉鎖操作位置にある状態では操作部（３１ｂ）と張出部（４０）が当たらず機体への取り付けが出来るようにしてあることを特徴とする脱穀装置。
【発明の詳細な説明】
【技術分野】
【０００１】
本発明は、選別部の底部に選別された処理物を横外方に搬送する横送り螺旋を配置し、該横送り螺旋下方の樋に形成した掃除口に対して開閉自在な蓋体を設けた脱穀装置に関する。
【背景技術】
【０００２】
従来、この種の脱穀装置においては、横送り螺旋下方の樋に形成した掃除口に対して開閉自在な蓋体を設けることにより、横送り螺旋によって搬送されず樋上に溜まった処理物を取り出し掃除できる構成となっているが、蓋体を閉じる操作を忘れて脱穀作業を行い、選別した穀粒等の処理物を掃除口から機外に漏出させてしまう虞があった。
そこで、蓋体を開閉操作する操作レバーが開き操作状態にあるときに、該操作レバーが横外方に張り出すように規制する規制手段を設けることにより、張り出した操作レバーがカバーを取り付ける際に接当し該カバーを取り付けできないように構成したものがあった（特許文献１参照）。このものは、作業者が蓋体を閉じ忘れた場合でも、カバーを取り付ける際に操作レバーが接当して取り付けできないことによって、蓋体が閉じられていないことに気付くことができるので、蓋体の閉じ忘れを確実性高く回避できる利点がある。
【特許文献１】特許第３３８３５８３号公報
【発明の開示】
【発明が解決しようとする課題】
【０００３】
しかしながら、上記従来の脱穀装置は、操作レバーの構造が複雑になりコスト高になる問題があった。また、操作レバーを外方に大きく張り出す為に伝動ベルトの外側に配置しなければならず、該操作レバーが伝動ベルトを取り外す時に邪魔になる問題があった。更に、操作レバーが接当してカバーが変形する問題があった。
本発明の目的は、上記従来の課題を解決する点にある。
【課題を解決するための手段】
【０００４】
上記目的を達成するため、本発明においては、選別部の底部に選別された処理物を横外方に搬送する横送り螺旋を配置し、該横送り螺旋下方の樋に形成した掃除口を開閉自在な蓋体と、該蓋体を開閉操作可能な操作レバーを設けた脱穀装置において、前記操作レバーは、その本体部分である鉛直部を選別部の側方で且つ選別部の側方に配置された伝動ベルトより内側に配置すると共に、鉛直部の上端部分に伝動ベルトより外方に突出する操作部を一体的に設ける一方、操作レバーが露出しないように覆うカバー体を設けてその前後に設けた揺動自在なフック部材を介して機体に着脱自在に取り付けると共に、該カバー体の内側に内方へ突出する張出部を設けてその張出部を前後のフック部材の間で且つ上下方向でフック部材と略同じ高さに配置し、前記カバー体を、操作レバーが蓋体を開く開放操作位置にある状態では操作レバーの操作部と張出部が当たって機体への取り付けが出来ず、操作レバーが蓋体を閉じる閉鎖操作位置にある状態では操作部と張出部が当たらず機体への取り付けが出来るようにしてあることを特徴とする。
【発明の効果】
【０００５】
従って、本発明の請求項１にかかる構成によれば、操作レバーの構造が簡素化でき安価に構成できる。また、カバーの内方へ突出する張出部に操作レバーの操作部が接当するので、カバーの変形を防止できる。
また、操作レバーの鉛直部が伝動ベルトより内側に配置されるので、伝動ベルトの交換が容易に行える。
【発明を実施するための最良の形態】
【０００６】
以下、本発明の実施の形態を図面に基づいて説明する。
図１は、コンバインを示す全体側面図である。このコンバインは、左右一対のクローラ走行装置１に支持される機体フレーム２の前端部に、横軸心回りで揺動昇降自在に刈取装置３を装着すると共に、前記機体フレーム２上に運転操作部４、脱穀装置５、穀粒タンク６等を搭載して構成されている。
【０００７】
図２は、脱穀装置を示す縦断側面図である。刈取装置３で刈取搬送された穀稈はフィードチェーン７で株元を挟持搬送されながら脱穀装置５の扱室８内に穂先部分が供給されて脱穀処理される。前記脱穀装置５は、扱室８内に前後軸心回りで回転駆動される扱胴９を架設し、該扱胴９の下側の周面に沿って受網１０を配置する一方、扱室８からの送塵物を処理する排塵処理室１１内に前後軸心回りで回転駆動される処理胴１２を架設し、該処理胴１２の下側の周面に沿って処理網１３を配置し、前記受網１０や処理網１３から漏下した処理物を選別処理する選別部Ｓを設けて構成されている。
【０００８】
前記選別部Ｓは、処理物を篩選別する揺動選別装置１４と、該揺動選別装置１４に向けて選別風を供給する唐箕ファン１５とを設け、更に、揺動選別装置１４より精選別された穀粒を回収して右横外方に移送する一番横送り螺旋１６と、揺動選別装置１４からの二番物を回収して右横外方に移送する二番横送り螺旋１７とを配設して構成されている。そして、一番横送り螺旋１６の搬送終端部には、穀粒タンク６に穀粒を揚送する揚穀装置１８を連動連結する一方、二番横送り螺旋１７の搬送終端部には、二番物を揺動選別装置１４の前部側に還元する還元装置１９を連動連結している。
【０００９】
図３は、脱穀装置５の選別部Ｓの底部を示しており、（Ａ）は側面図、（Ｂ）は底面図である。エンジンからの動力を伝動ベルト２０により唐箕駆動軸２１へ伝動し、該唐箕駆動軸２１から伝動ベルト２２を介して一番横送り螺旋１６及び二番横送り螺旋１７を駆動している。２３は揺動選別装置１４へ動力を伝動する伝動ベルトである。
【００１０】
各横送り螺旋１６，１７の下方には、選別部Ｓの底面板にそれぞれ形成された樋２４，２５を設けると共に、各樋２４，２５には、横幅方向に沿って掃除口２６，２７を形成している。そして、各樋２４，２５毎にその掃除口２６，２７を開閉可能な蓋体２８，２９を、それぞれ横方向の回動軸Ｐ１，Ｐ２回りで揺動自在に設けている。
【００１１】
蓋体２８，２９は、弾性体３０を介してそれぞれ回動軸Ｐ１，Ｐ２に一体的に取り付け支持されている。３１は回動軸Ｐ１の左側端部に固定された蓋体２８，２９の開閉操作用の操作レバーであり、３２は回動軸Ｐ２に一体的に固定されたアーム、３３は前記操作レバー３１及びアーム３２にそれぞれ軸着された連係リンクである。よって、操作レバー３１を回動軸Ｐ１回りで揺動して蓋体２８を開閉操作すると、蓋体２９が連係リンク３３を介して連動して一緒に開閉操作できる構成となっている。
【００１２】
図４は、後述するカバー体３６の装着状態を示す縦断正面図である。前記操作レバー３１はその本体部分である鉛直部３１ａが伝動ベルト２２より内側で脱穀側壁１ａに沿って前後方向に揺動することにより、ベルト式伝動機構が横外方に大きく突出せず脱穀装置５の横幅をコンパクトにできると共に、伝動ベルト２２の着脱が容易に行える。また、操作レバー３１の上端部分が横外方に曲げられ伝動ベルト２２より外方まで延出されており、操作レバー３１を揺動操作し易いように外方に突出する操作部３１ｂが設けられている。
【００１３】
また、図３に示されるように３４は、操作レバー３１を閉鎖位置で保持する保持手段であり、該保持手段３４は三角形状に形成された板体の係止部材を脱穀側壁１ａに固着して
構成されている。操作レバー３１が閉鎖位置にある場合は、ねじりコイルばねによって構成された弾性体３０が収縮している状態であり、該弾性体３０の復元力によって操作レバー３１が後方に揺動しようとするのを保持手段３４で係止することによって操作レバー３１が閉鎖位置で保持される。また、操作レバー３１が保持手段３４によって保持されることにより前記弾性体３０の弾性力によって蓋体２８，２９が閉じ方向に付勢される構成となっている。
また、操作レバー３１を閉鎖位置から開放位置へ切り換える場合は、操作レバー３１を外側へ撓らせて保持手段３４をかわしながら後方へ揺動操作することによって行う。操作レバー３１と保持手段３４との係合が外れると、蓋体２８，２９及び操作レバー３１は弾性体３０の復元力により開放方向へ移動する。そして、弾性体３０の収縮変形が戻り開放方向への付勢力が無くなると、蓋体２８，２９及び操作レバー３１はそれ自体の重みによって開放方向へ揺動して所定の開放位置で移動停止する構成となっている。
【００１４】
図１，図４及び図５に示すように、３５，３６は、選別室Ｓの左外側で、脱穀機体に着脱自在に取り付けられたカバー体である。カバー体３６は選別室Ｓの前記ベルト式伝動機構等を覆っており、該カバー体３６は、その下側に形成した係合部３６ａを脱穀側壁１ａに固着した係止部材３７に係脱可能とすると共に、その上側に設けた揺動自在なフック部材３９を脱穀側壁１ａに固着した係止部材３８に係脱可能とすることにより、脱穀側壁１ａに対して着脱自在な構成となっている。また、４０はカバー体３６の内側に設けられ、内方へ突出する張出部である。
【００１５】
上記構成により、選別部Ｓの横送り螺旋１６，１７部分を掃除する場合は、先ずカバー体３６を、上側のフック部材３９を揺動操作して係止部材３８から外すと共に、下側の係合部３６ａを持ち上げて係止部材３７から外すことにより取り外し、次に操作レバー３１を揺動操作して蓋体２８，２９を樋２４，２５の掃除口２６，２７に対して開放移動させる。
この時、操作レバー３１が開放位置にある状態では、図３に示されるように、側面視で操作レバー３１の操作部３１ｂがカバー体３６の張出部４０とラップするので、図５に示されるように操作部３１ｂが張出部４０と接当してカバー体３６が取付固定できない構成となっている。即ち、作業者が蓋体２８，２９を閉じ忘れた場合でも、カバー体３６を取り付ける際に操作レバー３１が接当して取り付けできないことによって、蓋体２８，２９が閉じられていないことに気付くことができる。
また、カバー体３６は、操作レバー３１が蓋体２８，２９を閉じる閉鎖位置にある状態では、操作部３１ｂと張出部４０が当たらず機体への取り付けが可能となるように構成している。
【００１６】
尚、本実施の形態では、張出部４０を、カバー体３１の内側に固着した断面コ字状の板部材４０ａと、該板部材４０ａに貼り付けたスポンジ製のクッション部材４０ｂとから構成し、操作部３１ｂをクッション部材４０ｂに接当することで、カバー体３６の変形を極力防止できる。
【図面の簡単な説明】
【００１７】
【図１】コンバインを示す全体側面図である。
【図２】脱穀装置を示す縦断側面図である。
【図３】脱穀装置の選別部の底部を示しており、（Ａ）は側面図、（Ｂ）は底面図である。
【図４】カバー体の装着状態を示す縦断正面図である。
【図５】カバー体と操作レバーとの接当状態を示す縦断正面図である。
【符号の説明】
【００１８】
５      脱穀装置
Ｓ      選別部
１６    一番横送り螺旋（横送り螺旋）
１７    二番横送り螺旋（横送り螺旋）
２２    伝動ベルト
２４    樋
２５    樋
２６    掃除口
２７    掃除口
２８    蓋体
２９    蓋体
３１    操作レバー
３１ｂ  操作部
３６    カバー体
４０    張出部
【図１】
0004658257.tif 000002
【図２】
0004658257.tif 000003
【図３】
0004658257.tif 000004
【図４】
0004658257.tif 000005
【図５】
0004658257.tif 000006